(57)【要約】【課題】本発明は、容易かつ強固に組立てて台板を取付けることができ、常に陳列商品の軽重を問わず常に確実に陳列支持せしめることが出来るのみならず、不使用時には折畳んでコンパクトに纏めることが出来る、商品陳列台などにおける台板の支持体を提供する。【解決手段】台板１８が嵌着自在とされた所要の高さと内径を有する略半円筒状の可撓性外枠体１２と、該外枠体１２内に設けられた略蛇腹状の拡開部材１３・２３・３３とよりなり、上記拡開部材１３・２３・３３を拡開せしめて外枠体１２を外方に拡張保形せしめるべく構成されている。そして、拡開部材１３・２３・３３は基板１４上に両側一対の波板１５が各々支持骨１６を介して取付けられている。また、拡開部材１３・２３・３３間や外枠体１２との間には押圧部材２９．３９が介装がされている。【選択図】図１
2007151928.tif 000002
【特許請求の範囲】
【請求項１】
台板が嵌着自在とされた所要の高さと内径を有する略半円筒状の可撓性外枠体と、該外枠体内に設けられた略蛇腹状の拡開部材とよりなり、上記拡開部材を拡開せしめて外枠体を外方に拡張保形せしめるべく構成されてなることを特徴とする、商品陳列台などにおける台板の支持体。
【請求項２】
拡開部材は基板上に両側一対の波板が各々支持骨を介して取付けられ、該波板を介して折畳み自在な略蛇腹状に形成されてなることを特徴とする、請求項１記載の商品陳列台などにおける台板の支持体。 
【請求項３】
拡開部材を構成する両側波板の上端部には、各々拡開時に相隣る支持骨間に圧入して張力を支持せしめるべく拡開支持片が形成されてなることを特徴とする、請求項１及び２記載の商品陳列台などにおける台板の支持体。
【請求項４】
請求項１及び２記載の商品陳列台などにおける台板の支持体において、外枠体と拡開部材との間に押圧部材が介装されてなることを特徴とする、商品陳列台などにおける台板の支持体。
【請求項５】
請求項１〜３記載の商品陳列台などにおける台板の支持体において、拡開部材が所要数に分割されると共に、相隣る拡開部材間に押圧部材が介装されてなることを特徴とする、商品陳列台などにおける台板の支持体。
【発明の詳細な説明】
【技術分野】
【０００１】
本発明は、商品陳列台、商品展示台、あるいは簡易テ−ブルなど所要の物品を載置する載置台における台板の支持体に関する。
【背景技術】
【０００２】
従来より、商品陳列台などの物品載置台は、所要形状の台板下面に棒状や板状の支持部材よりなる支持体が取付け金具を介して固定的に、あるいは、折畳み自在に取付けられ、所要の物品を安定的に載置支持せしめるものとされている。
【０００３】
しかしながら、上記従来の商品陳列台などにおける台板の支持体は、所要の取付け金具でもって一々台板に取付けなければならず、その取付け作業が非常に面倒で手間がかかるのみならず、必要に応じて取外し、コンパクトにまとめることは実際上困難であり、輸送や保管に極めて不便なものとなっていた。  
【０００４】
かかる従来の問題点を解決するものとして、本願発明者が先に提案した実開平４−４３１５３号公報には、所要数の筒状支持部材を並列状に連結せしめて折畳み自在な略蛇腹状に形成し、各支持部材に各々挿着片を介して所要形状の台板が取付け自在とされてなる、商品陳列台などにおける台板の支持体が開示されている。
そして、上述の如く構成された商品陳列台などにおける台板の支持体は、伸縮または屈曲せしめて台板形状に合致せしめたのち、挿着片を各々対応する支持部材に挿着して台板を取付けるものとされている。また、不使用時には、支持部材より挿着片を抜き去り、台板と分離せしめたのち支持体を折畳んでコンパクトにまとめるものとされている。
【特許文献１】実開平４−４３１５３号公報
【発明の開示】
【発明が解決しようとする課題】
【０００５】
上述の如く構成された実開平４−４３１５３号公報記載の商品陳列台における台板の支持体は、挿着片を各々対応する支持部材に挿着せしめることにより台板を容易に取付け、また、不使用時には折畳んでコンパクトにまとめることが出来るものである。
しかしながら、挿着片を各々支持部材に挿着して台板を取付けるものであるから、台板形状に合せて伸縮または屈曲せしめた支持体を常に挿着片でもって保形せしめつつ荷重を支持せしめるものとなり、軽量の商品を陳列する場合などにはともかく、比較的重量の大な商品などを陳列する場合などにおいては強度的に問題があるものである。
【０００６】
本発明は、上記従来例の問題点を解決しようとするもので、非常に容易に、しかも強固に組立てて台板を取付けることができ、ひいては、陳列商品の軽重を問わず常に確実に陳列支持せしめることが出来るのみならず、不使用時には折畳んでコンパクトにまとめることが出来る、商品陳列台などにおける台板の支持体を提供するものである。
【課題を解決するための手段】
【０００７】
上記の目的を達成するため、請求項１記載の発明は、台板が嵌着自在とされた所要の高さと内径を有する略半円筒状の可撓性外枠体と、該外枠体内に設けられた略蛇腹状の拡開部材とよりなり、上記拡開部材を拡開せしめて外枠体を外方に拡張保形せしめるべく構成されてなることを特徴とする、商品陳列台などにおける台板の支持体を要旨とするものである。
【０００８】
また、請求項２記載の発明は、拡開部材は基板上に両側一対の波板が各々支持骨を介して取付けられ、該波板を介して折畳み自在な略蛇腹状に形成されてなることを特徴とする
、請求項１記載の商品陳列台などにおける台板の支持体を要旨とするものである。 
【０００９】
請求項３記載の発明は、拡開部材を構成する両側波板の上端部には、各々拡開時に相隣る支持骨間に圧入して張力を支持せしめるべく拡開支持片が形成されてなることを特徴とする、請求項１及び２記載の商品陳列台などにおける台板の支持体を要旨とするものである。
【００１０】
請求項４記載の発明は、請求項１及び２記載の商品陳列台などにおける台板の支持体において、外枠体と拡開部材との間に押圧部材が介装されてなることを特徴とする、商品陳列台などにおける台板の支持体を要旨とするものである。
【００１１】
請求項５記載の発明は、請求項１〜３記載の商品陳列台などにおける台板の支持体において、拡開部材が所要数に分割されると共に、相隣る拡開部材間に押圧部材が介装されてなることを特徴とする、商品陳列台などにおける台板の支持体を要旨とするものである。
【発明の効果】
【００１２】
請求項１記載の発明は、上述のように構成されているから、可撓性外枠体内に設けた略蛇腹状の拡開部材を拡開し、外枠体を外方に拡張保形せしめるという簡単な操作でもって
、非常に簡単に、しかも強固に組立てて台板を取付けることができ、ひいては、陳列商品の軽重を問わず常に確実に陳列支持せしめることが出来るものである。また、外枠体は可撓自在に形成されると共に、拡開部材は略蛇腹状に形成されているから、不使用時には外枠体及び拡開部材を折畳んでコンパクトにまとめることが出来るものであって、ひいては
、輸送や保管に極めて至便である。
【００１３】
請求項２記載の発明は、上述のように構成されているから、基板上に支持骨でもって波板を強固に拡開支持せしめ、外枠体を常に確実に拡張保形せしめることが出来るのみならず、不使用時にはコンパクトに折畳むことが出来るものである。
【００１４】
請求項３記載の発明は、上述のように構成されているから、拡開部材の拡開作動時には相隣る支持骨間に圧入して外枠体に対する拡張力を強固に、しかも確実に保持せしめることが出来るものである。
【００１５】
請求項４記載の発明は、上述のように構成されているから、比較的大径状の支持体を形成する場合においても、拡開部材を長尺化せしめることなく所定長に設定せしめ、その保形拡張力を常に確実に保持せしめることが出来るものである。
【００１６】
請求項５記載の発明は、上述のように構成されているから、比較的大径状の支持体を形成する場合においても、拡開部材を比較的長尺状に設定せしめ、その保形拡張力を常に確実に保持せしめることが出来るものである。
【発明を実施するための最良の形態】
【００１７】
以下に、本発明を実施するための最良の形態を図面に示す一実施例に基づいて詳細に説明する。
【００１８】
図１乃至図４は本発明の第１実施例を示すもので、同図中、１１は台板用支持体、１２は該支持体１１を構成する所要の高さと内径を有する略半円筒状の可撓性外枠体、１３は該外枠体１２内に挿脱自在に設けられた略蛇腹状の拡開部材で、該拡開部材１３の高さは外枠体１２より若干低く設定されている。１４は上記拡開部材１３を構成する基板、１５は該基板１４上に支持骨１６を各々介して折畳み自在に取付けられた両側一対の波板、１７は相隣る支持骨１６間に圧入して拡張力を支持せしめるべく該波板１５の上端部に折曲げ自在に突設された拡開支持片である。１８は前記外枠体１２上に嵌着自在とされた台板である。
【００１９】
次に、上述の如く構成された第１実施例の使用例について説明する。
先ず、外枠体１２を立設せしめたのち、拡開部材１３を若干折畳み状態に保持せしめつつ挿入する。しかるのち、波板１５を対応する外枠体１２の湾曲状内周面に沿わせつつ、拡開作動せしめ、外枠体１２を外方に拡張せしめると共に、拡開支持片１７を各々相隣る支持骨１６間に圧入せしめて拡張保形せしめる。このさい、可撓性外枠体１２内に略蛇腹状の拡開部材１３を挿入せしめて拡開すると共に、相隣る支持骨１６間に拡開支持片１７を圧入せしめるものであるから、その組立て作業を非常に簡便に、しかも、迅速かつ確実に行なうことが出来るのみならず、非常に強固に組立てることが出来る。支持体１１の組立てが完了すると、外方に拡張保形せしめた外枠体１２上に台板１８を嵌着せしめ、商品陳列台として使用に供する（図２及び図３参照）。
【００２０】
逆に、不使用時には、外枠体１２より拡開部材１３を取外して解体し、拡開部材１３を図４に図示するように折畳むと共に、外枠体１２を偏平状に押圧してコンパクトにまとめ
、輸送や保管に供する。
なお、上記第１実施例において、拡開部材１３は外枠体１２内に挿脱自在とされているが、これに限定されるものではなく、外枠体１２内に取付けてもよいものである。
【００２１】
図５乃至図７は本発明の第２実施例を示す支持体２１で、外枠体１２内に両側一対の折畳み自在な挿着片２７を介して拡開部材２３が挿着されると共に、拡開部材２３を構成する基板１４と外枠体１２のフラット部内面との間に方形状の押圧部材２９が介装自在とされた点が上記第１実施例と相違し、他の部分は同一であり、同一符号は同一部分を示す。
【００２２】
そして、上述の如く構成された第２実施例の使用時には、図６及び図７に図示するように、外枠体１２内に挿着せしめた拡開部材２３の基板１４と外枠体１２のフラット部内面との間に押圧部材２９を挿入せしめたのち、拡開部材２３を拡開作動せしめ、外枠体１２を外方に拡張保形せしめる。このさい、可撓自在な外枠体１２と、その内部に挿着せしめた略蛇腹状拡開部材２３との間に押圧部材２９を挿入せしめると共に、拡開部材２３を拡開作動せしめて外枠体１２を外方に拡張保形せしめるものであるから、その組立て作業を非常に簡便に、しかも、迅速かつ確実に行なうことが出来るのみならず、非常に強固に組立てることが出来る。そして、特に、第２実施例は外枠体１２と拡開部材２３との間に押圧部材２９を介装せしめるものであるから、比較的大径状の支持体２１を形成する場合においても、拡開部材を長尺化せしめることはなく、所定長の拡開部材２３を採択してその保形拡張力を確実に保持せしめることが出来る。支持体２１の組立てが完了すると、外方に拡張保持せしめた外枠体１２上に台板１８を嵌着せしめ、商品陳列台として使用に供する。
【００２３】
逆に、不使用時には、押圧部材２９を外し、拡開部材２３と共に外枠体１２を折畳み、コンパクトにまとめるとよい。
なお、上記第２実施例において、拡開部材２３は挿着片２７を介して外枠体１２内に挿着せしめるものとされているが、これに限定されるものでなく、挿脱自在に設けてもよいものである。また、拡開部材２３には拡開支持片１７が示されていないが、必要に応じて形成せしめてもよいものである。
【００２４】
図８乃至図１１は本発明の第３実施例を示す支持体３１で、拡開部材３３が両側一対の二分割状に形成されると共に、相隣る拡開部材３３間に方形状の押圧部材３９が介装自在とされた点が前記第１実施例と相違し、他の部分は同一であり、同一符号は同一部分を示す。
【００２５】
そして、上述の如く構成された第３実施例の使用時には、図１０及び図１１に図示するように、外枠体１２内に両側一対の拡開部材３３を挿入せしめると共に、相隣る拡開部材３３間に押圧部材３９を挿入せしめたのち、両側の拡開部材３３を各々拡開作動せしめ、外枠体１２を外方に拡張保形せしめる。このさい、可撓自在な外枠体１２内に挿入せしめた両側一対の拡開部材３３間に押圧部材３９を挿入せしめると共に、両側の拡開部材３３を各々拡開作動せしめて外枠体１２を外方に拡張保形せしめるものであるから、その組立て作業を非常に簡単に、しかも、迅速、かつ確実に行なうことが出来るのみならず、非常に強固に組立てることが出来る。そして、特に、第３実施例は、二分割せしめた両側一対の拡開部材３３間に押圧部材３９を介装せしめるものであるから、比較的大径状の支持体を形成する場合においても、拡開部材３３を長尺化せしめてその保形拡張力を確実に保持せしめることが出来る。支持体３１の組立てが完了すると、外方に拡張保持せしめた外枠体１２上に台板１８を嵌着せしめ、商品陳列台として使用に供する。
【００２６】
逆に、不使用時には、外枠体１２より拡開部材３３及び押圧部材３９を取外して解体し
、外枠体１２及び拡開部材３３を各々折畳んでコンパクトにまとめるとよい。
なお、上記第３実施例において、拡開部材３３は両側一対の二分割状に形成されているが、必要に応じて多分割状に形成せしめてもよいものである。
【００２７】
なお、上記第１乃至第３実施例は商品陳列台における台板の支持体１１・２１・３１を示したが、これに限定されるものでなく、例えば、商品展示台における台板、あるいは、簡易テ−ブルなど所要の物品を載置する載置台などにも適用せしめることが出来るものである。
【図面の簡単な説明】
【００２８】
【図１】本発明の第１実施例を示す分解斜視図である。
【図２】第１実施例の使用状態を示す一部破断平面図である。
【図３】図２のＡーＡ線に沿う断面図である。
【図４】第１実施例の拡開部材１３の折畳み状態を示す側面図である。
【図５】本発明の第２実施例を示す分解斜視図である。
【図６】第２実施例の使用状態を示す一部破断平面図である。
【図７】図６のＢーＢ線に沿う断面図である。
【図８】本発明の第３実施例を示す拡開部材３３の斜視図である。
【図９】第３実施例を示す押圧部材３９の斜視図である。
【図１０】第３実施例の使用状態を示す一部破断平面図である。
【図１１】図１０のＣ−Ｃ線に沿う断面図である。
【符号の説明】
【００２９】
１１・２１・３１  支持体
１２  外枠体
１３・２３・３３  拡開部材
１４  基板
１５  波板
１６  支持骨
１７  拡開支持片
１８  台板
２９・３９  押圧部材
【図１】
2007151928.tif 000003
【図２】
2007151928.tif 000004
【図３】
2007151928.tif 000005
【図４】
2007151928.tif 000006
【図５】
2007151928.tif 000007
【図６】
2007151928.tif 000008
【図７】
2007151928.tif 000009
【図８】
2007151928.tif 000010
【図９】
2007151928.tif 000011
【図１０】
2007151928.tif 000012
【図１１】
2007151928.tif 000013